(57)【要約】【課題】複数のＬＥＤデバイスによる輝度ムラを抑制しつつ照明光の所望の照度を実現する。【解決手段】リフレクタ（３）は、複数の第１反射面（３１）と、第２反射面（３２）とを備える。複数の第１反射面（３１）は、線状に配列された複数のＬＥＤデバイスの光出射面よりも光軸方向前側にて複数のＬＥＤデバイスの周囲にそれぞれ配置される。第２反射面（３２）は、複数の第１反射面（３１）の光軸方向前側に配置される。第２反射面（３２）は、ＬＥＤデバイス列の幅方向の一方側にて長手方向に連続して広がる。リフレクタ（３）では、各ＬＥＤ断面において、第１反射面（３１）が幅方向の両側に配置され、各ＬＥＤデバイスから光軸方向前側に向かうに従って幅方向外方へと向かう。また、各ＬＥＤ断面において、第２反射面（３２）が、光軸方向前側に向かうに従って幅方向外方へと向かう。これにより、複数のＬＥＤデバイスによる輝度ムラを抑制しつつ照明光の所望の照度を実現することができる。【選択図】図１
2020170720.tif 000002
【特許請求の範囲】
【請求項１】
照明装置用のリフレクタであって、
線状に配列された複数のＬＥＤデバイスの光出射面よりも光軸方向前側にて前記複数のＬＥＤデバイスの周囲にそれぞれ配置され、それぞれが環状凹面の少なくとも一部である複数の第１反射面と、
前記複数の第１反射面の前記光軸方向前側に配置され、前記複数のＬＥＤデバイスであるＬＥＤデバイス列の長手方向および前記光軸方向に垂直な幅方向において、前記ＬＥＤデバイス列の一方側にて前記長手方向に連続して広がる第２反射面と、
を備え、
前記長手方向に垂直、かつ、各ＬＥＤデバイスの光軸を含む各ＬＥＤ断面において、第１反射面が前記各ＬＥＤデバイスの前記幅方向の両側に配置され、前記各ＬＥＤデバイスから前記光軸方向前側に向かうに従って前記幅方向外方へと向かい、
前記各ＬＥＤ断面において、前記第２反射面が前記光軸方向前側に向かうに従って前記幅方向外方へと向かうことを特徴とするリフレクタ。
【請求項２】
請求項１に記載のリフレクタであって、
前記長手方向に垂直な断面における前記第２反射面の形状が、前記長手方向の全長に亘って一定であることを特徴とするリフレクタ。
【請求項３】
請求項１または２に記載のリフレクタであって、
各第１反射面の上縁が、円周である上円周の少なくとも一部であり、
前記長手方向にて隣接する２つのＬＥＤデバイスの前記長手方向における中心間距離が、前記２つのＬＥＤデバイスに対応する２つの第１反射面における前記上円周の前記長手方向における半径の合計以下であることを特徴とするリフレクタ。
【請求項４】
請求項１ないし３のいずれか１つに記載のリフレクタであって、
各第１反射面の上縁が、前記幅方向に長い楕円周の少なくとも一部であることを特徴とするリフレクタ。
【請求項５】
請求項１ないし４のいずれか１つに記載のリフレクタであって、
各第１反射面の上縁が、円周である上円周の少なくとも一部であり、
前記各第１反射面の前記上円周の中心は、前記各ＬＥＤデバイスの前記光軸上に位置することを特徴とするリフレクタ。
【請求項６】
請求項１ないし４のいずれか１つに記載のリフレクタであって、
各第１反射面の上縁が、円周である上円周の少なくとも一部であり、
前記各ＬＥＤデバイスの前記光軸は、前記幅方向において、前記各第１反射面の前記上円周の中心と前記第２反射面との間に位置することを特徴とするリフレクタ。
【請求項７】
請求項６に記載のリフレクタであって、
前記複数の第１反射面のうち少なくとも一部の第１反射面の上円周の中心は、ＬＥＤデバイスの光軸から前記長手方向に離間していることを特徴とするリフレクタ。
【請求項８】
請求項１ないし７のいずれか１つに記載のリフレクタであって、
前記複数の第１反射面の前記光軸方向前側に配置され、前記ＬＥＤデバイス列の前記幅方向の他方側にて前記長手方向に連続して広がる他の第２反射面をさらに備え、
前記各ＬＥＤ断面において、前記他の第２反射面が前記光軸方向前側に向かうに従って前記幅方向外方へと向かうことを特徴とするリフレクタ。
【請求項９】
照明装置であって、
請求項１ないし８のいずれか１つに記載のリフレクタと、
前記複数のＬＥＤデバイスと、
を備えることを特徴とする照明装置。
【発明の詳細な説明】
【技術分野】
【０００１】
本発明は、照明装置用のリフレクタ、および、当該リフレクタを備える照明装置に関する。
【背景技術】
【０００２】
従来、ＬＥＤ（Light Emitting Diode）を光源とするＬＥＤ照明装置が利用されている。例えば、特許文献１のＬＥＤ照明装置は、複数のＬＥＤと、当該複数のＬＥＤから出射された光を下方へと導くリフレクタとを備える。リフレクタは、格子状に配列された互いに独立する複数の凹部を備え、上方に向かって凹む各凹部の頂部にＬＥＤが配置される。各凹部内には、ＬＥＤから凹部の開口面へと向かう光の一部を遮る遮光体が配置される。これにより、ＬＥＤの直下の部分が眩しく感じられることが抑制される。換言すれば、複数のＬＥＤによる輝度ムラが抑制される。
【先行技術文献】
【特許文献】
【０００３】
【特許文献１】特開２０１３−１０５６０４号公報
【発明の概要】
【発明が解決しようとする課題】
【０００４】
ところで、文献１のＬＥＤ照明装置では、各凹部内にＬＥＤからの光を遮る遮光体が設けられるため、ＬＥＤ照明装置全体の照度が低下する。また、リフレクタにおいて、複数のＬＥＤに対応する複数の凹部が互いに独立して設けられるため、複数のＬＥＤによる光源の粒状感等の輝度ムラの抑制に限界がある。
【０００５】
本発明は、照明装置用のリフレクタに向けられており、複数のＬＥＤデバイスによる輝度ムラを抑制しつつ照明光の所望の照度を実現することを目的としている。
【課題を解決するための手段】
【０００６】
請求項１に記載の発明は、照明装置用のリフレクタであって、線状に配列された複数のＬＥＤデバイスの光出射面よりも光軸方向前側にて前記複数のＬＥＤデバイスの周囲にそれぞれ配置され、それぞれが環状凹面の少なくとも一部である複数の第１反射面と、前記複数の第１反射面の前記光軸方向前側に配置され、前記複数のＬＥＤデバイスであるＬＥＤデバイス列の長手方向および前記光軸方向に垂直な幅方向において、前記ＬＥＤデバイス列の一方側にて前記長手方向に連続して広がる第２反射面とを備え、前記長手方向に垂直、かつ、各ＬＥＤデバイスの光軸を含む各ＬＥＤ断面において、第１反射面が前記各ＬＥＤデバイスの前記幅方向の両側に配置され、前記各ＬＥＤデバイスから前記光軸方向前側に向かうに従って前記幅方向外方へと向かい、前記各ＬＥＤ断面において、前記第２反射面が前記光軸方向前側に向かうに従って前記幅方向外方へと向かう。当該リフレクタによれば、複数のＬＥＤデバイスによる輝度ムラを抑制しつつ照明光の所望の照度を実現することができる。
【０００７】
請求項２に記載の発明は、請求項１に記載のリフレクタであって、前記長手方向に垂直な断面における前記第２反射面の形状が、前記長手方向の全長に亘って一定である。
【０００８】
請求項３に記載の発明は、請求項１または２に記載のリフレクタであって、各第１反射面の上縁が、円周である上円周の少なくとも一部であり、前記長手方向にて隣接する２つのＬＥＤデバイスの前記長手方向における中心間距離が、前記２つのＬＥＤデバイスに対応する２つの第１反射面における前記上円周の前記長手方向における半径の合計以下である。
【０００９】
請求項４に記載の発明は、請求項１ないし３のいずれか１つに記載のリフレクタであって、各第１反射面の上縁が、前記幅方向に長い楕円周の少なくとも一部である。
【００１０】
請求項５に記載の発明は、請求項１ないし４のいずれか１つに記載のリフレクタであって、各第１反射面の上縁が、円周である上円周の少なくとも一部であり、前記各第１反射面の前記上円周の中心は、前記各ＬＥＤデバイスの前記光軸上に位置する。
【００１１】
請求項６に記載の発明は、請求項１ないし４のいずれか１つに記載のリフレクタであって、各第１反射面の上縁が、円周である上円周の少なくとも一部であり、前記各ＬＥＤデバイスの前記光軸は、前記幅方向において、前記各第１反射面の前記上円周の中心と前記第２反射面との間に位置する。
【００１２】
請求項７に記載の発明は、請求項６に記載のリフレクタであって、前記複数の第１反射面のうち少なくとも一部の第１反射面の上円周の中心は、ＬＥＤデバイスの光軸から前記長手方向に離間している。
【００１３】
請求項８に記載の発明は、請求項１ないし７のいずれか１つに記載のリフレクタであって、前記複数の第１反射面の前記光軸方向前側に配置され、前記ＬＥＤデバイス列の前記幅方向の他方側にて前記長手方向に連続して広がる他の第２反射面をさらに備え、前記各ＬＥＤ断面において、前記他の第２反射面が前記光軸方向前側に向かうに従って前記幅方向外方へと向かう。
【００１４】
請求項９に記載の発明は、照明装置であって、請求項１ないし８のいずれか１つに記載のリフレクタと、前記複数のＬＥＤデバイスとを備える。
【図面の簡単な説明】
【００１５】
【図１】第１の実施の形態に係る照明装置のリフレクタを示す斜視図である。
【図２】リフレクタの平面図である。
【図３】照明装置の断面図である。
【図４】リフレクタの断面図である。
【図５】リフレクタの一部を拡大して示す平面図である。
【図６】リフレクタの一部を拡大して示す平面図である。
【図７】他の好ましい照明装置の断面図である。
【図８】照明装置の輝度分布を示す図である。
【図９】第２の実施の形態に係る照明装置のリフレクタを示す斜視図である。
【図１０】リフレクタの平面図である。
【図１１】照明装置の断面図である。
【図１２】リフレクタの断面図である。
【図１３】リフレクタの一部を拡大して示す平面図である。
【図１４】リフレクタの一部を拡大して示す平面図である。
【図１５】第３の実施の形態に係る照明装置のリフレクタを示す平面図である。
【図１６】リフレクタの断面図である。
【図１７】リフレクタの一部を拡大して示す平面図である。
【図１８】リフレクタの一部を拡大して示す平面図である。
【図１９】他の好ましいリフレクタの一部を拡大して示す平面図である。
【図２０】他の好ましいリフレクタを示す平面図である。
【図２１】リフレクタの断面図である。
【図２２】他の好ましいリフレクタの一部を拡大して示す平面図である。
【図２３】他の好ましいリフレクタの一部を拡大して示す平面図である。
【発明を実施するための形態】
【００１６】
図１は、本発明の第１の実施の形態に係る照明装置のリフレクタ３を示す斜視図である。図２は、リフレクタ３の平面図である。図３は、リフレクタ３を図２中のＩＩＩ−ＩＩＩの位置にて切断した断面図である。図４は、リフレクタ３を図２中のＩＶ−ＩＶの位置にて切断した断面図である。図５および図６は、リフレクタ３の一部を拡大して示す平面図である。図３では、照明装置１のリフレクタ３以外の構造も併せて示しており、照明装置１の断面図でもある。また、図３では、照明装置１のケース５の外形を破線にて示す。図３および図４では、断面よりも奥の構成の一部も併せて示す。図４ないし図６では、照明装置１のＬＥＤデバイス２を併せて示す。
【００１７】
照明装置１は、例えば、金属加工装置等における照明装置として利用される。図３に示すように、照明装置１は、複数のＬＥＤ（Light Emitting Diode）デバイス２と、照明装置用のリフレクタ３と、回路基板４と、ケース５とを備える。複数のＬＥＤデバイス２の数は、例えば、４８個である。複数のＬＥＤデバイス２は、例えば、回路基板４上に固定される。複数のＬＥＤデバイス２は、線状に配列される。図３に示す例では、複数のＬＥＤデバイス２は、直線状に配列（すなわち、仮想的な直線に沿って配列）される。
【００１８】
以下の説明では、線状に配列される複数のＬＥＤデバイス２を「ＬＥＤデバイス列２０」とも呼ぶ。また、ＬＥＤデバイス列２０が延びる図３中の左右方向を「長手方向」と呼ぶ。また、長手方向に垂直な図２中の上下方向を「幅方向」と呼ぶ。複数のＬＥＤデバイス２の光軸方向（すなわち、光軸が向く方向）は、図２中において紙面に垂直な方向であり、紙面の手前側および奥側をそれぞれ「光軸方向前側」および「光軸方向後側」と呼ぶ。上記幅方向は、長手方向および光軸方向に垂直な方向である。
【００１９】
図１ないし図５に示すように、リフレクタ３は、複数の第１反射面３１と、一対の第２反射面３２と、一対の第３反射面３３と、フレーム部３４とを備える。フレーム部３４は、複数の第１反射面３１、一対の第２反射面３２および一対の第３反射面３３を支持する外枠である。各第１反射面３１、各第２反射面３２および各第３反射面３３は、例えば、樹脂の表面にアルミニウム等の金属を蒸着することにより形成される。各第１反射面３１、各第２反射面３２および各第３反射面３３の色は、例えば銀色である。各第１反射面３１、各第２反射面３２および各第３反射面３３は、例えば、金属製の部材の金属表面であってもよく、樹脂製の部材の樹脂表面であってもよい。
【００２０】
図４に示すように、複数の第１反射面３１は、複数のＬＥＤデバイス２の光出射面２１よりも光軸方向前側に配置される。ＬＥＤデバイス２の光出射面２１とは、ＬＥＤデバイス２の図４中における上側の面であり、ＬＥＤデバイス２から外部へと出射される光が通過する面である。各第１反射面３１の光軸方向後側の端部には、光軸Ｊ１を中心とする略円形の開口３５が設けられる。図１ないし図５に示すように、複数の開口３５は、互いに離間しつつ長手方向に配列される。ＬＥＤデバイス２の光出射面２１から出射された光は、開口３５を介して光軸方向前方へと導かれる。
【００２１】
複数の第１反射面３１の数は、複数のＬＥＤデバイス２の数と同じである。複数の第１反射面３１は、図５に示すように、複数のＬＥＤデバイス２の周囲にそれぞれ配置される。複数の第１反射面３１は、複数のＬＥＤデバイス２と同様に、線状に配列される。具体的には、複数の第１反射面３１は、長手方向に略平行に直線状に配列される。複数の第１反射面３１のそれぞれは、対応するＬＥＤデバイス２の光軸Ｊ１を略中心とする環状の凹面の少なくとも一部である。図５に示す例では、各ＬＥＤデバイス２の周囲の全周に亘って第１反射面３１が設けられる。
【００２２】
一対の第２反射面３２は、複数の第１反射面３１の光軸方向前側に配置される。一の第２反射面３２は、幅方向においてＬＥＤデバイス列２０の一方側にて長手方向に連続して広がる。他の第２反射面３２は、幅方向においてＬＥＤデバイス列２０の他方側にて長手方向に連続して広がる。すなわち、一対の第２反射面３２は、長手方向に略平行なＬＥＤデバイス列２０に沿って配置される。各第２反射面３２の長手方向の長さは、ＬＥＤデバイス列２０の長手方向の長さよりも長い。各第２反射面３２の長手方向の長さは、複数の第１反射面３１の長手方向の長さとおよそ同じである。長手方向に垂直な断面における一対の第２反射面３２の形状は、長手方向の実質的に全長に亘って略一定である。
【００２３】
一対の第２反射面３２は、複数の第１反射面３１の光軸方向前端に連続する。一対の第２反射面３２の光軸方向の高さは、複数の第１反射面３１のそれぞれの光軸方向の高さよりも大きい。例えば、各第２反射面３２の光軸方向の高さは、各第１反射面３１の光軸方向の最大高さの２倍以上かつ５倍以下である。長手方向にて隣接する各２つのＬＥＤデバイス２の間では、一方の第２反射面３２と他方の第２反射面３２とが接することはない。換言すれば、長手方向にて隣接する各２つのＬＥＤデバイス２の間では、一対の第２反射面３２が互いに非連続である。
【００２４】
一対の第３反射面３３は、複数の第１反射面３１の光軸方向前側に配置される。一対の第３反射面３３は、光軸方向において、一対の第２反射面３２と略同じ位置に位置する。一対の第３反射面３３の光軸方向の高さは、一対の第２反射面３２の光軸方向の高さと略同じである。一の第３反射面３３は、長手方向においてＬＥＤデバイス列２０の一方側にて幅方向に広がる。他の第３反射面３３は、長手方向においてＬＥＤデバイス列２０の他方側にて幅方向に広がる。一対の第３反射面３３は、一対の第２反射面３２の長手方向の両端部を接続する。
【００２５】
図４に示す断面は、長手方向に垂直、かつ、ＬＥＤデバイス２の光軸Ｊ１を含む断面であり、以下、「ＬＥＤ断面」という。図４に示すように、ＬＥＤ断面では、第１反射面３１がＬＥＤデバイス２の幅方向の両側（すなわち、図４中の左右両側）に配置される。また、ＬＥＤデバイス２の幅方向の両側において、第１反射面３１は、ＬＥＤデバイス２から光軸方向前側に向かうに従って、幅方向外方（すなわち、ＬＥＤデバイス２から幅方向に離れる方向）へと向かう。ＬＥＤ断面では、第１反射面３１の焦点位置は、ＬＥＤデバイス２の光軸Ｊ１上に位置する。
【００２６】
ＬＥＤ断面では、一対の第２反射面３２が、光軸方向前側に向かうに従って幅方向外方へと向かう。ＬＥＤ断面では、一対の第２反射面３２の焦点位置は、ＬＥＤデバイス２の光軸Ｊ１上に位置する。ＬＥＤ断面では、例えば、第１反射面３１と第２反射面３２との接続部（すなわち、第１反射面３１と第２反射面３２との境界）における第１反射面３１の接線の傾きと、第２反射面３２の接線の傾きとが異なる。図４に示す例では、当該接続部における第１反射面３１の接線と光軸Ｊ１との成す角度は、当該接続部における第２反射面３２の接線と光軸Ｊ１との成す角度よりも大きい。他のＬＥＤデバイス２に対応するＬＥＤ断面においても、第１反射面３１の形状および第２反射面３２の形状は、上記形状と同様である。
【００２７】
図６に示すように、各第１反射面３１の上縁３１１は、各ＬＥＤデバイス２の光軸Ｊ１を中心とする仮想的な円周である上円周３１２の一部である。図６では、上円周３１２のうち第１反射面３１の上縁３１１と重ならない部位を二点鎖線にて描いている。上円周３１２は、真円の円周であってもよく、楕円の円周であってもよい。図６に示す例では、各第１反射面３１の上縁３１１は、ＬＥＤデバイス２の光軸Ｊ１を中心として幅方向（すなわち、図６中の上下方向）に長い楕円周の一部である。長手方向にて隣接する各２つのＬＥＤデバイス２の長手方向における中心間距離（すなわち、長手方向に隣接する２つの光軸Ｊ１間の距離）は、当該各２つのＬＥＤデバイス２に対応する２つの第１反射面３１の上円周３１２の長手方向における半径の合計以下である。
【００２８】
各第１反射面３１の下縁３１３は、各ＬＥＤデバイス２の光軸Ｊ１を中心とする仮想的な円周である下円周の少なくとも一部である。第１反射面３１は、上円周３１２と当該下円周とを繋ぐ環状凹面の少なくとも一部である。下円周は、真円の円周であってもよく、楕円の円周であってもよい。図６に示す例では、各第１反射面３１の下縁３１３は、ＬＥＤデバイス２の光軸Ｊ１を中心とする真円の円周全体である。長手方向に隣接する各２つのＬＥＤデバイス２の間には、図４に示すように、第１反射面３１による仕切り壁３１５が位置する。仕切り壁３１５は、長手方向に隣接する２つの開口３５の間を仕切る。長手方向に隣接する各２つのＬＥＤデバイス２の間では、第１反射面３１の幅方向中央部の光軸方向の高さ（すなわち、仕切り壁３１５の幅方向中央部の高さ）が、第１反射面３１の他の部位の光軸方向の高さよりも低い。
【００２９】
図６に示す例では、各第１反射面３１の上円周３１２は、長手方向に隣接する第１反射面３１の上円周３１２および下縁３１３と交差する。また、各第１反射面３１の上円周３１２は、長手方向に隣接する第１反射面３１の光軸Ｊ１を内側に含まない。なお、各第１反射面３１の上円周３１２は、例えば、長手方向に隣接する第１反射面３１の上円周３１２および下縁３１３と交差しなくてもよい。また、各第１反射面３１の上円周３１２は、例えば、長手方向に隣接する第１反射面３１の光軸Ｊ１を内側に含んでもよい。
【００３０】
図３に示す照明装置１では、複数のＬＥＤデバイス２から出射された光は、複数の第１反射面３１により反射されて、あるいは、第１反射面３１に反射されることなく直接的に光軸方向前方へと導かれる。複数の第１反射面３１よりも光軸方向前側へと導かれた光は、第２反射面３２により反射されて、あるいは、第２反射面３２に反射されることなく直接的に光軸方向前方へと導かれ、リフレクタ３から光軸方向前方に向けて照射される。
【００３１】
以上に説明したように、照明装置１用のリフレクタ３は、複数の第１反射面３１と、第２反射面３２とを備える。複数の第１反射面３１は、線状に配列された複数のＬＥＤデバイス２の光出射面２１よりも光軸方向前側にて複数のＬＥＤデバイス２の周囲にそれぞれ配置される。複数の第１反射面３１のそれぞれは、環状凹面の少なくとも一部である。第２反射面３２は、複数の第１反射面３１の光軸方向前側に配置される。第２反射面３２は、複数のＬＥＤデバイス２であるＬＥＤデバイス列２０の長手方向および光軸方向に垂直な幅方向において、ＬＥＤデバイス列２０の一方側にて長手方向に連続して広がる。リフレクタ３では、当該長手方向に垂直、かつ、各ＬＥＤデバイス２の光軸Ｊ１を含む各ＬＥＤ断面において、第１反射面３１が各ＬＥＤデバイス２の幅方向の両側に配置され、各ＬＥＤデバイス２から光軸方向前側に向かうに従って幅方向外方へと向かう。また、各ＬＥＤ断面において、第２反射面３２が、光軸方向前側に向かうに従って幅方向外方へと向かう。
【００３２】
このように、リフレクタ３では、複数のＬＥＤデバイス２にそれぞれ対応する上述の複数の第１反射面３１を設けることにより、複数のＬＥＤデバイス２から出射される光を、光軸方向前方へと効率良く導くことができる。また、上述のように、第２反射面３２が、複数の第１反射面３１に沿って長手方向に連続して広がることにより、複数のＬＥＤデバイス２および複数の第１反射面３１からの光を、長手方向に適切に拡散しつつさらに効率良く光軸方向前方へと導くことができる。これにより、複数のＬＥＤデバイス２による輝度ムラ（例えば、各ＬＥＤデバイスによる光源の粒状感、または、各ＬＥＤデバイスに対応する輝線の発生）を抑制しつつ、照明装置１による照明光の所望の照度を実現することができる。
【００３３】
上述のように、第２反射面３２の光軸方向の高さは、複数の第１反射面３１のそれぞれの光軸方向の高さよりも大きい。これにより、複数のＬＥＤデバイス２および複数の第１反射面３１からの光を、長手方向にさらに適切に拡散しつつ効率良く光軸方向前方へと導くことができる。その結果、上述の輝度ムラの抑制と所望照度の実現とを、より好適に両立することができる。
【００３４】
リフレクタ３では、長手方向に垂直な断面における第２反射面３２の形状は、第２反射面３２の長手方向の全長に亘って一定である。これにより、複数のＬＥＤデバイス２および複数の第１反射面３１から第２反射面３２に導かれた光を長手方向に拡散させる際に、長手方向における光の拡散の均一性を向上することができる。その結果、複数のＬＥＤデバイス２による輝度ムラを、より一層抑制することができる。なお、長手方向に垂直な断面における第２反射面３２の形状は、第２反射面３２の長手方向の実質的に全長に亘って実質的に一定であればよい。この場合も、上記と同様に、複数のＬＥＤデバイス２による輝度ムラを、より一層抑制することができる。
【００３５】
リフレクタ３では、各ＬＥＤデバイス２の周囲の全周に亘って第１反射面３１が設けられる。これにより、複数のＬＥＤデバイス２から出射される光を、光軸方向前方へとさらに効率良く導くことができる。その結果、照明装置１による照明光の所望の照度を容易に実現することができる。
【００３６】
上述のように、各第１反射面３１の上縁３１１は、各ＬＥＤデバイス２の光軸Ｊ１を中心とする円周である上円周３１２の一部であり、長手方向にて隣接する２つのＬＥＤデバイス２の長手方向における中心間距離は、当該２つのＬＥＤデバイス２に対応する２つの第１反射面３１における上円周３１２の長手方向における半径の合計以下である。これにより、複数のＬＥＤデバイス２の長手方向の間隔を小さくすることができる。その結果、複数のＬＥＤデバイス２による輝度ムラを、より一層抑制することができる。また、リフレクタ３および照明装置１を小型化することもできる。
【００３７】
なお、各第１反射面３１の上縁３１１は、必ずしも上円周３１２の一部である必要はなく、上円周３１２全体であってもよい。すなわち、各第１反射面３１の上縁３１１は、上円周３１２の少なくとも一部であればよい。そして、長手方向にて隣接する２つのＬＥＤデバイス２の長手方向における中心間距離が、当該２つのＬＥＤデバイス２に対応する２つの第１反射面３１における上円周３１２の長手方向における半径の合計以下であることにより、上記と同様に、複数のＬＥＤデバイス２による輝度ムラを、より一層抑制することができる。また、リフレクタ３および照明装置１を小型化することもできる。
【００３８】
リフレクタ３では、各第１反射面３１の上縁３１１が、各ＬＥＤデバイス２の光軸Ｊ１を中心として幅方向に長い楕円周の少なくとも一部である。これにより、各ＬＥＤデバイス２からの光の幅方向への広がりを大きくすることができる。その結果、照明装置１からの照明光の長手方向への広がりと、幅方向への広がりとの差を小さくすることができる。
【００３９】
上述のように、リフレクタ３は、他の第２反射面３２をさらに備える。当該他の第２反射面３２は、複数の第１反射面３１の光軸方向前側に配置され、ＬＥＤデバイス列２０の幅方向の他方側にて長手方向に連続して広がる。各ＬＥＤ断面において、当該他の第２反射面３２は、光軸方向前側に向かうに従って幅方向外方へと向かう。これにより、複数のＬＥＤデバイス２および複数の第１反射面３１からの光を、長手方向にさらに適切に拡散しつつ、より一層効率良く光軸方向前方へと導くことができる。その結果、複数のＬＥＤデバイス２による輝度ムラをより一層抑制しつつ、照明装置１による照明光の所望の照度を容易に実現することができる。
【００４０】
上述の例では、複数の第１反射面３１、一対の第２反射面３２、および、一対の第３反射面３３の反射特性（例えば、粗度および反射率）は同じであるが、必ずしも同じでなくてもよい。例えば、複数の第１反射面３１の反射特性と、第２反射面３２の反射特性とは異なっていてもよい。具体的には、例えば、複数の第１反射面３１の粗度が、第２反射面３２の粗度よりも大きい。これにより、各ＬＥＤデバイス２の収差による色ムラを抑制することができる。また、例えば、複数の第１反射面３１の反射率が、第２反射面３２の反射率よりも低い。これにより、上記と同様に、各ＬＥＤデバイス２の収差による色ムラを抑制することができる。当該反射率の違いは、例えば、第１反射面３１の材料と第２反射面３２の材料とを異ならせることにより実現されてもよく、第１反射面３１の色と第２反射面３２の色とを異ならせることにより実現されてもよい。第１反射面３１および第２反射面３２の粗度または反射率の大小関係は、リフレクタ３に求められる性能に合わせて、様々に変更されてよい。
【００４１】
照明装置１では、図７に示すように、リフレクタ３の光軸方向前側に拡散板６が配置されてもよい。拡散板６は、例えば、樹脂製の板状部材である。拡散板６は、リフレクタ３の一対の第２反射面３２および一対の第３反射面３３よりも光軸方向前側にてケース５に取り付けられる。拡散板６は、リフレクタ３の光軸方向前端の開口（すなわち、一対の第２反射面３２の光軸方向前縁、および、一対の第３反射面３３の光軸方向前縁により形成される開口）の略全体を覆う。拡散板６は、複数のＬＥＤデバイス２およびリフレクタ３からの光を透過させつつ拡散する。これにより、複数のＬＥＤデバイス２による輝度ムラを、より一層抑制することができる。拡散板６は、後述する他のリフレクタを備える照明装置に設けられてもよい。
【００４２】
図８は、照明装置１における上記輝度ムラの抑制の様子を示す図である。図８の左欄に記載の実施例１は、図１ないし図６に示す照明装置１である。実施例２は、図７に示す拡散板６が設けられた照明装置１である。比較例１は、図１ないし図６に示す照明装置１からレフレクタ３を省略した照明装置である。比較例１の照明装置は、回路基板上に照明装置１と同数のＬＥＤデバイスが、同様に配置されている。図８の右欄の各グラフは、各照明装置における輝度分布を示す。各グラフの横軸は、照明装置の長手方向の位置を示し、縦軸は、長手方向の各位置における輝度を示す。当該輝度は、ＬＥＤデバイス列２０上における輝度である。
【００４３】
比較例１の照明装置では、輝度の振幅が大きい。すなわち、比較例１の照明装置では、ＬＥＤデバイスが配置される位置と、ＬＥＤデバイスが配置されていない位置とで、明暗差が大きく、複数のＬＥＤデバイスによる輝度ムラ（例えば、光源の粒状感）が大きい。これに対し、実施例１および実施例２の照明装置１では、輝度の振幅が低減され、複数のＬＥＤデバイス２による輝度ムラが抑制されている。また、図８において実施例１と実施例２とを比較すると、実施例２では実施例１よりも輝度ムラがさらに抑制されている。一方、各ＬＥＤデバイス２の直下照度（すなわち、単位面積あたりに入射する光の量）は、実施例１で約１９５０ｌｘ（ルクス）、実施例２で約１６００ｌｘ、比較例１で約４３０ｌｘであった。実施例１および実施例２は、照明装置１に求められる性能（例えば、輝度ムラの程度および照度）に合わせて適宜選択することができる。
【００４４】
次に、第２の実施の形態に係る照明装置のリフレクタ３ａについて説明する。図９は、リフレクタ３ａを示す斜視図である。図１０は、リフレクタ３ａの平面図である。図１１は、リフレクタ３ａを図１０中のＸＩ−ＸＩの位置にて切断した断面図である。図１２は、リフレクタ３ａを図１０中のＸＩＩ−ＸＩＩの位置にて切断した断面図である。図１３および図１４は、リフレクタ３ａの一部を拡大して示す平面図である。図１１では、照明装置１ａのリフレクタ３ａ以外の構造も併せて示しており、照明装置１ａの断面図でもある。また、図１１では、照明装置１ａのケース５の外形を破線にて示す。図１１および図１２では、断面よりも奥の構成の一部も併せて示す。図１２ないし図１４では、照明装置１ａのＬＥＤデバイス２を併せて示す。
【００４５】
リフレクタ３ａは、図１に示す複数の第１反射面３１に代えて、複数の第１反射面３１とは形状が異なる複数の第１反射面３１ａを備える。リフレクタ３ａのその他の構成は、図１に示すリフレクタ３と略同様であり、以下の説明では、対応する構成に同符号を付す。
【００４６】
図１２に示すように、リフレクタ３ａでは、複数の第１反射面３１ａは、複数のＬＥＤデバイス２の光出射面２１よりも光軸方向前側に配置される。複数の第１反射面３１ａの数は、複数のＬＥＤデバイス２の数と同じである。複数の第１反射面３１ａは、図１３に示すように、複数のＬＥＤデバイス２の周囲にそれぞれ配置される。複数の第１反射面３１ａのそれぞれは、対応するＬＥＤデバイス２の光軸Ｊ１を略中心とする環状の凹面の一部である。具体的には、各第１反射面３１ａは、当該環状の凹面のうち、ＬＥＤデバイス２の幅方向の両側に位置する一対の部位である。複数の第１反射面３１ａは、ＬＥＤデバイス列２０の幅方向の両側において、長手方向に沿って連続して広がる。すなわち、複数の第１反射面３１ａは、ＬＥＤデバイス列２０の幅方向の両側において、それぞれが長手方向に連続して広がる一対の反射面と捉えることもできる。
【００４７】
図１０ないし図１３に示すように、複数の第１反射面３１ａの光軸方向後側の端部には、長手方向に延びる略帯状の１つの開口３５ａが設けられる。開口３５ａは、複数の第１反射面３１ａの光軸方向後側の端部にそれぞれ設けられた略円形の一部である複数の開口が、長手方向に連続したものである。開口３５ａの長手方向の長さは、ＬＥＤデバイス列２０の長手方向の長さよりも長い。リフレクタ３ａでは、上述の仕切り壁３１５（図４参照）に相当する部位は設けられない。
【００４８】
図１４に示すように、各第１反射面３１ａの上縁３１１ａは、各ＬＥＤデバイス２の光軸Ｊ１を中心とする仮想的な円周である上円周３１２ａの一部である。図１４では、上円周３１２ａのうち第１反射面３１ａの上縁３１１ａと重ならない部位を二点鎖線にて描いている。上円周３１２ａは、真円の円周であってもよく、楕円の円周であってもよい。図１４に示す例では、各第１反射面３１ａの上縁３１１ａは、ＬＥＤデバイス２の光軸Ｊ１を中心とする真円周の一部である。長手方向にて隣接する各２つのＬＥＤデバイス２の長手方向における中心間距離は、当該各２つのＬＥＤデバイス２に対応する２つの第１反射面３１ａの上円周３１２ａの長手方向における半径の合計以下である。また、当該中心間距離は、第１反射面３１ａの上円周３１２ａの長手方向における半径以下でもある。
【００４９】
各第１反射面３１ａの下縁３１３ａは、各ＬＥＤデバイス２の光軸Ｊ１を中心とする仮想的な円周である下円周３１６ａの少なくとも一部である。第１反射面３１ａは、上円周３１２ａと当該下円周３１６ａとを繋ぐ環状凹面の一部である。下円周３１６ａは、真円の円周であってもよく、楕円の円周であってもよい。図１４に示す例では、各第１反射面３１ａの下縁３１３ａは、ＬＥＤデバイス２の光軸Ｊ１を中心とする真円周の一部である。各第１反射面３１ａの上円周３１２ａは、長手方向に隣接する第１反射面３１ａの下縁３１３ａと交差する。また、各第１反射面３１ａの上円周３１２ａは、長手方向に隣接する第１反射面３１ａの光軸Ｊ１を内側に含む。
【００５０】
図９ないし図１３に示すリフレクタ３ａは、上述のリフレクタ３と略同様に、複数の第１反射面３１ａと、第２反射面３２とを備える。複数の第１反射面３１ａは、線状に配列された複数のＬＥＤデバイス２の光出射面２１よりも光軸方向前側にて複数のＬＥＤデバイス２の周囲にそれぞれ配置される。複数の第１反射面３１ａのそれぞれは、環状凹面の一部である。第２反射面３２は、複数の第１反射面３１ａの光軸方向前側に配置される。第２反射面３２は、長手方向および光軸方向に垂直な幅方向において、ＬＥＤデバイス列２０の一方側にて長手方向に連続して広がる。リフレクタ３ａでは、各ＬＥＤ断面において、第１反射面３１ａが各ＬＥＤデバイス２の幅方向の両側に配置され、各ＬＥＤデバイス２から光軸方向前側に向かうに従って幅方向外方へと向かう。また、各ＬＥＤ断面において、第２反射面３２が、光軸方向前側に向かうに従って幅方向外方へと向かう。
【００５１】
このように、リフレクタ３ａでは、複数のＬＥＤデバイス２にそれぞれ対応する上述の複数の第１反射面３１ａを設けることにより、複数のＬＥＤデバイス２から出射される光を、光軸方向前方へと効率良く導くことができる。また、上述のように、第２反射面３２が、複数の第１反射面３１ａに沿って長手方向に連続して広がることにより、複数のＬＥＤデバイス２および複数の第１反射面３１ａからの光を、長手方向に適切に拡散しつつさらに効率良く光軸方向前方へと導くことができる。これにより、複数のＬＥＤデバイス２による輝度ムラを抑制しつつ、照明装置１ａによる照明光の所望の照度を実現することができる。
【００５２】
また、リフレクタ３ａでは、複数の第１反射面３１ａが、ＬＥＤデバイス列２０に沿って長手方向に連続して広がる。これにより、複数のＬＥＤデバイス２からの光を、長手方向にさらに適切に拡散することができる。その結果、複数のＬＥＤデバイス２による輝度ムラを、より一層抑制することができる。
【００５３】
次に、第３の実施の形態に係る照明装置のリフレクタ３ｂについて説明する。図１５は、リフレクタ３ｂを示す平面図である。図１６は、リフレクタ３ｂを図１５中のＸＶＩ−ＸＶＩの位置にて切断した断面図である。図１７および図１８は、リフレクタ３ｂの一部を拡大して示す平面図である。図１６では、照明装置１ｂのリフレクタ３ｂ以外の構造も併せて示している。図１６は、照明装置１ｂの断面図でもある。図１６では、断面よりも奥の構成の一部も併せて示す。図１６ないし図１８では、照明装置１ｂのＬＥＤデバイス２を併せて示す。
【００５４】
リフレクタ３ｂは、図１に示す複数の第１反射面３１および一対の第２反射面３２に代えて、複数の第１反射面３１ｂおよび一対の第２反射面３２ｂを備える。各第１反射面３１ｂおよび一対の第２反射面３２ｂは、各第１反射面３１および一対の第２反射面３２と形状が異なる。また、照明装置１ｂのＬＥＤデバイス２の数は、上述の照明装置１のＬＥＤデバイス２の数よりも少ない。リフレクタ３ｂおよび照明装置１ｂのその他の構成は、上述のリフレクタ３および照明装置１と略同様であり、以下の説明では、対応する構成に同符号を付す。
【００５５】
リフレクタ３ｂの一対の第２反射面３２ｂは、複数の第１反射面３１ｂの光軸方向前端に連続する。一対の第２反射面３２ｂの光軸方向の高さは、複数の第１反射面３１ｂのそれぞれの光軸方向の高さよりも大きい。例えば、各第２反射面３２ｂの光軸方向の高さは、各第１反射面３１ｂの光軸方向の最大高さの２倍以上かつ５倍以下である。長手方向にて隣接する各２つのＬＥＤデバイス２の間では、一方の第２反射面３２ｂと他方の第２反射面３２ｂとが接することはない。換言すれば、長手方向にて隣接する各２つのＬＥＤデバイス２の間では、一対の第２反射面３２ｂが互いに非連続である。
【００５６】
図１６に示すように、ＬＥＤ断面では、第１反射面３１ｂがＬＥＤデバイス２の幅方向の両側（すなわち、図１６中の左右両側）に配置される。また、ＬＥＤデバイス２の幅方向の両側において、第１反射面３１ｂは、ＬＥＤデバイス２から光軸方向前側に向かうに従って、幅方向外方（すなわち、ＬＥＤデバイス２から幅方向に離れる方向）へと向かう。
【００５７】
ＬＥＤ断面では、一対の第２反射面３２ｂが、光軸方向前側に向かうに従って幅方向外方へと向かう。一対の第２反射面３２ｂは、ＬＥＤデバイス２の光軸Ｊ１に対して、左右非対称である。図１６に示す例では、光軸方向の各位置において、左側の第２反射面３２ｂと光軸Ｊ１との成す角度は、右側の第２反射面３２ｂと光軸Ｊ１との成す角度よりも小さい。また、光軸方向の各位置において、左側の第２反射面３２ｂと光軸Ｊ１との間の幅方向の距離は、右側の第２反射面３２ｂと光軸Ｊ１との間の幅方向の距離よりも小さい。換言すれば、光軸方向の各位置において、一対の第２反射面３２ｂの幅方向の中央は、光軸Ｊ１よりも右側に位置する。図１６に例示するＬＥＤ断面では、光軸方向の各位置における一対の第２反射面３２ｂの幅方向の中央は、直線Ｊ２上に位置する。以下の説明では、直線Ｊ２を「反射面軸Ｊ２」と呼ぶ。反射面軸Ｊ２は、ＬＥＤデバイス２の光軸Ｊ１に対して右側に傾斜している。反射面軸Ｊ２と光軸Ｊ１との成す角度は、例えば、約１０度である。
【００５８】
ＬＥＤ断面では、例えば、第１反射面３１ｂと第２反射面３２ｂとの接続部（すなわち、第１反射面３１ｂと第２反射面３２ｂとの境界）における第１反射面３１ｂの接線の傾きと、第２反射面３２ｂの接線の傾きとが異なる。他のＬＥＤデバイス２に対応するＬＥＤ断面においても、第１反射面３１ｂの形状および第２反射面３２ｂの形状は、上記形状と同様である。
【００５９】
図１８に示すように、各第１反射面３１ｂの上縁３１１は、各ＬＥＤデバイス２の光軸Ｊ１の周囲を囲む仮想的な円周である上円周３１２の一部である。図１８では、上円周３１２のうち第１反射面３１ｂの上縁３１１と重ならない部位を二点鎖線にて描いている。上円周３１２は、真円の円周であってもよく、楕円の円周であってもよい。図１８に示す例では、各第１反射面３１ｂの上縁３１１は、幅方向（すなわち、図１８中の上下方向）に長い楕円周の一部である。長手方向にて隣接する各２つのＬＥＤデバイス２の長手方向における中心間距離（すなわち、長手方向に隣接する２つの光軸Ｊ１間の距離）は、当該各２つのＬＥＤデバイス２に対応する２つの第１反射面３１ｂの上円周３１２の長手方向における半径の合計以下である。
【００６０】
各第１反射面３１ｂにおいて、上円周３１２の中心３１４は、ＬＥＤデバイス２の光軸Ｊ１上に位置していない。上円周３１２の中心３１４は、光軸Ｊ１から幅方向に離間した位置に位置する。換言すれば、ＬＥＤデバイス２の光軸Ｊ１は、幅方向において、上円周３１２の中心３１４と、図１６中の左側の第２反射面３２ｂとの間に位置する。図１８に示す例では、上円周３１２の中心３１４は、光軸Ｊ１と長手方向の略同じ位置に位置する。換言すれば、上円周３１２の中心３１４は、ＬＥＤ断面に位置し、光軸Ｊ１から幅方向にずれている。
【００６１】
各第１反射面３１ｂの下縁３１３は、ＬＥＤデバイス２の光軸Ｊ１を略中心とする仮想的な円周である下円周の少なくとも一部である。第１反射面３１ｂは、上円周３１２と当該下円周とを繋ぐ環状凹面の少なくとも一部である。下円周は、真円の円周であってもよく、楕円の円周であってもよい。図１７および図１８に示す例では、各第１反射面３１ｂの下縁３１３は、ＬＥＤデバイス２の光軸Ｊ１を中心とする真円の円周全体である。ＬＥＤ断面において、第１反射面３１ｂの下円周の中心、および、上円周３１２の中心３１４は、上述の反射面軸Ｊ２上に位置する。すなわち、反射面軸Ｊ２は、ＬＥＤ断面における第１反射面３１ｂおよび第２反射面３２ｂの中心を示す。
【００６２】
長手方向に隣接する各２つのＬＥＤデバイス２の間には、図１６に示すように、第１反射面３１ｂによる仕切り壁３１５が位置する。仕切り壁３１５は、長手方向に隣接する２つの開口３５の間を仕切る。長手方向に隣接する各２つのＬＥＤデバイス２の間では、第１反射面３１ｂの幅方向中央部の光軸方向の高さ（すなわち、仕切り壁３１５の幅方向中央部の高さ）が、第１反射面３１ｂの他の部位の光軸方向の高さよりも低い。
【００６３】
図１８に示す例では、各第１反射面３１ｂの上円周３１２は、長手方向に隣接する第１反射面３１ｂの上円周３１２および下縁３１３と交差する。また、各第１反射面３１ｂの上円周３１２は、長手方向に隣接する第１反射面３１ｂの光軸Ｊ１を内側に含まない。なお、各第１反射面３１ｂの上円周３１２は、例えば、長手方向に隣接する第１反射面３１ｂの上円周３１２および下縁３１３と交差しなくてもよい。また、各第１反射面３１ｂの上円周３１２は、例えば、長手方向に隣接する第１反射面３１ｂの光軸Ｊ１を内側に含んでもよい。
【００６４】
照明装置１ｂでは、複数のＬＥＤデバイス２から出射された光は、複数の第１反射面３１ｂにより反射されて、あるいは、第１反射面３１ｂに反射されることなく直接的に光軸方向前方へと導かれる。複数の第１反射面３１ｂよりも光軸方向前側へと導かれた光は、第２反射面３２ｂにより反射されて、あるいは、第２反射面３２ｂに反射されることなく直接的に光軸方向前方へと導かれ、リフレクタ３ｂから光軸方向前方に向けて照射される。上述のように、リフレクタ３ｂでは、ＬＥＤ断面において第１反射面３１ｂおよび第２反射面３２ｂの中心を示す反射面軸Ｊ２が、ＬＥＤデバイス２の光軸Ｊ１に対して幅方向の一方に傾斜しているため、照明装置１ｂからの光は、光軸Ｊ１に対して幅方向の当該一方側へと偏って照射される。
【００６５】
以上に説明したように、照明装置１ｂ用のリフレクタ３ｂは、上述のリフレクタ３と同様に、複数の第１反射面３１ｂと、第２反射面３２ｂとを備える。複数の第１反射面３１ｂは、線状に配列された複数のＬＥＤデバイス２の光出射面２１よりも光軸方向前側にて複数のＬＥＤデバイス２の周囲にそれぞれ配置される。複数の第１反射面３１ｂのそれぞれは、環状凹面の少なくとも一部である。第２反射面３２ｂは、複数の第１反射面３１ｂの光軸方向前側に配置される。第２反射面３２ｂは、複数のＬＥＤデバイス２であるＬＥＤデバイス列２０の長手方向および光軸方向に垂直な幅方向において、ＬＥＤデバイス列２０の一方側にて長手方向に連続して広がる。リフレクタ３ｂでは、当該長手方向に垂直、かつ、各ＬＥＤデバイス２の光軸Ｊ１を含む各ＬＥＤ断面において、第１反射面３１ｂが各ＬＥＤデバイス２の幅方向の両側に配置され、各ＬＥＤデバイス２から光軸方向前側に向かうに従って幅方向外方へと向かう。また、各ＬＥＤ断面において、第２反射面３２ｂが、光軸方向前側に向かうに従って幅方向外方へと向かう。これにより、上述のリフレクタ３と同様に、複数のＬＥＤデバイス２による輝度ムラを抑制しつつ、照明装置１ｂによる照明光の所望の照度を実現することができる。
【００６６】
リフレクタ３ｂでは、長手方向に垂直な断面における第２反射面３２ｂの形状は、第２反射面３２ｂの長手方向の全長に亘って一定である。これにより、複数のＬＥＤデバイス２および複数の第１反射面３１ｂから第２反射面３２ｂに導かれた光を長手方向に拡散させる際に、長手方向における光の拡散の均一性を向上することができる。その結果、複数のＬＥＤデバイス２による輝度ムラを、より一層抑制することができる。なお、長手方向に垂直な断面における第２反射面３２ｂの形状は、第２反射面３２ｂの長手方向の実質的に全長に亘って実質的に一定であればよい。この場合も、上記と同様に、複数のＬＥＤデバイス２による輝度ムラを、より一層抑制することができる。
【００６７】
リフレクタ３ｂでは、各第１反射面３１ｂの上縁３１１は、円周である上円周３１２の一部であり、長手方向にて隣接する２つのＬＥＤデバイス２の長手方向における中心間距離は、当該２つのＬＥＤデバイス２に対応する２つの第１反射面３１ｂにおける上円周３１２の長手方向における半径の合計以下である。これにより、複数のＬＥＤデバイス２の長手方向の間隔を小さくすることができる。その結果、複数のＬＥＤデバイス２による輝度ムラを、より一層抑制することができる。また、リフレクタ３ｂおよび照明装置１ｂを小型化することもできる。
【００６８】
なお、各第１反射面３１ｂの上縁３１１は、必ずしも上円周３１２の一部である必要はなく、上円周３１２全体であってもよい。すなわち、各第１反射面３１ｂの上縁３１１は、上円周３１２の少なくとも一部であればよい。そして、長手方向にて隣接する２つのＬＥＤデバイス２の長手方向における中心間距離が、当該２つのＬＥＤデバイス２に対応する２つの第１反射面３１ｂにおける上円周３１２の長手方向における半径の合計以下であることにより、上記と同様に、複数のＬＥＤデバイス２による輝度ムラを、より一層抑制することができる。また、リフレクタ３ｂおよび照明装置１ｂを小型化することもできる。
【００６９】
リフレクタ３ｂでは、各第１反射面３１ｂの上縁３１１が、幅方向に長い楕円周の少なくとも一部である。これにより、各ＬＥＤデバイス２からの光の幅方向への広がりを大きくすることができる。その結果、照明装置１ｂからの照明光の長手方向への広がりと、幅方向への広がりとの差を小さくすることができる。
【００７０】
リフレクタ３ｂでは、上述のように、各第１反射面３１ｂの上縁が、円周である上円周３１２の少なくとも一部であり、各ＬＥＤデバイス２の光軸Ｊ１は、幅方向において、各第１反射面３１ｂの上円周３１２の中心３１４と第２反射面３２ｂとの間に位置する。これにより、複数のＬＥＤデバイス２からの光を、照明装置１ｂの幅方向の片側に偏らせつつ、光軸方向前方へと導くことができる。その結果、照明装置１ｂが設けられる金属加工装置等において、照明装置１ｂの配置の自由度を向上することができる。
【００７１】
一方、図１に示すリフレクタ３では、第１反射面３１の上縁が、円周である上円周３１２の少なくとも一部であり、各第１反射面３１の上円周３１２の中心は、各ＬＥＤデバイス２の光軸Ｊ１上に位置する。これにより、複数のＬＥＤデバイス２からの光を、光軸方向に略平行な方向に効率良く導くことができる。
【００７２】
図１５に示すリフレクタ３ｂは、上述のように、他の第２反射面３２ｂをさらに備える。当該他の第２反射面３２ｂは、複数の第１反射面３１ｂの光軸方向前側に配置され、ＬＥＤデバイス列２０の幅方向の他方側にて長手方向に連続して広がる。各ＬＥＤ断面において、当該他の第２反射面３２ｂは、光軸方向前側に向かうに従って幅方向外方へと向かう。これにより、複数のＬＥＤデバイス２および複数の第１反射面３１ｂからの光を、長手方向にさらに適切に拡散しつつ、より一層効率良く光軸方向前方へと導くことができる。その結果、複数のＬＥＤデバイス２による輝度ムラをより一層抑制しつつ、照明装置１ｂによる照明光の所望の照度を容易に実現することができる。
【００７３】
リフレクタ３ｂでは、各ＬＥＤ断面において、上記他の第２反射面３２ｂと光軸Ｊ１との間の幅方向の距離が、もう１つの第２反射面３２ｂと光軸Ｊ１との間の幅方向の距離よりも大きい。これにより、複数のＬＥＤデバイス２からの光を、照明装置１ｂの幅方向の片側に好適に偏らせつつ、光軸方向前方へと導くことができる。
【００７４】
図１９は、他の好ましいリフレクタ３ｃをの一部を拡大して示す平面図である。図１９では、リフレクタ３ｃの長手方向の一方の端部を示す。リフレクタ３ｃでは、長手方向の両端部において、上述の第１反射面３１ｂと形状が異なる第１反射面３１ｃが設けられる点を除き、リフレクタ３ｂと略同様の構造を有する。
【００７５】
第１反射面３１ｃの上円周３１２の中心３１４は、ＬＥＤデバイス２の光軸Ｊ１から幅方向に離間しているのみならず、光軸Ｊ１から長手方向にも離間している。これにより、ＬＥＤデバイス２からの光を、照明装置１ｃの幅方向の片側および長手方向の片側に偏らせつつ、光軸方向前方へと導くことができる。図１９に示す例では、第１反射面３１ｃの上円周３１２の中心３１４は、ＬＥＤデバイス２の光軸Ｊ１よりも、照明装置１ｃの長手方向の端部に近い。これにより、ＬＥＤデバイス２からの光を、長手方向の端部側へと（すなわち、照明装置１ｃの長手方向中央部から離れる方向へと）広げることができる。
【００７６】
なお、リフレクタ３ｃでは、上円周３１２の中心３１４が光軸Ｊ１から長手方向に離間している第１反射面３１ｃは、必ずしも長手方向の端部に設けられる必要はなく、他の部位に設けられてもよい。あるいは、リフレクタ３ｃの全ての第１反射面が、上述の第１反射面３１ｃであってもよい。換言すれば、リフレクタ３ｃでは、複数の第１反射面のうち少なくとも一部の第１反射面３１ｃの上円周３１２の中心３１４が、ＬＥＤデバイス２の光軸Ｊ１から長手方向に離間している。これにより、上記と同様に、ＬＥＤデバイス２からの光を、照明装置１ｃの幅方向の片側および長手方向の片側に偏らせつつ、光軸方向前方へと導くことができる。
【００７７】
図１５ないし図１８に例示するリフレクタ３ｂでは、反射面軸Ｊ２と光軸Ｊ１との成す角度は約１０度であるが、当該角度は様々に変更されてよい。例えば、図２０および図２１は、当該角度が約２５度であるリフレクタ３ｄを示す平面図および断面図である。リフレクタ３ｄでは、各ＬＥＤデバイス２の光軸Ｊ１は、幅方向において、各第１反射面３１ｄの上円周の中心３１４と、第２反射面３２ｄとの間に位置する。これにより、上記と同様に、複数のＬＥＤデバイス２からの光を、照明装置１ｄの幅方向の片側に偏らせつつ、光軸方向前方へと導くことができる。その結果、照明装置１ｄが設けられる金属加工装置等において、照明装置１ｄの配置の自由度を向上することができる。
【００７８】
また、リフレクタ３ｄでは、ＬＥＤ断面において、第１反射面３１ｄの上円周の中心３１４、および、一対の第２反射面３２ｂの幅方向の中央が、図１６に示す例に比べて、ＬＥＤデバイス２の光軸Ｊ１から幅方向に大きく離間する。これにより、複数のＬＥＤデバイス２からの光を、照明装置１ｄの幅方向の片側に大きく偏らせることができる。
【００７９】
上述の照明装置１，１ａ〜１ｄおよびリフレクタ３，３ａ〜３ｄでは、様々な変更が可能である。
【００８０】
例えば、リフレクタ３，３ａでは、一対の第２反射面３２の光軸方向の高さは、複数の第１反射面３１，３１ａのそれぞれの光軸方向の高さよりも小さくてもよく、当該高さと同じであってもよい。また、長手方向に垂直な断面における一対の第２反射面３２の形状は、必ずしも、長手方向の全長に亘って実質的に一定である必要はなく、長手方向の位置によって変更されてもよい。各第２反射面３２上には、複数の第１反射面３１の仕切り壁３１５（図４参照）が延設されていてもよい。具体的には、仕切り壁３１５の幅方向の端部が、例えば略三角錐状のリブとして第２反射面３２に沿って上方へと延びていてもよい。この場合、当該リブの光軸方向前端は、第２反射面３２の光軸方向前縁よりも後側に位置する。さらに、第２反射面３２は、ＬＥＤデバイス列２０の幅方向の一方側のみに設けられてもよい。リフレクタ３ｂ〜３ｄにおいても同様である。
【００８１】
リフレクタ３のＬＥＤ断面では、例えば、第１反射面３１と第２反射面３２との接続部における第１反射面３１の接線と光軸Ｊ１との成す角度は、当該接続部における第２反射面３２の接線と光軸Ｊ１との成す角度よりも小さくてもよく、当該角度と同じであってもよい。また、リフレクタ３ａのＬＥＤ断面では、第１反射面３１ａと第２反射面３２との接続部における第１反射面３１ａの接線と光軸Ｊ１との成す角度と、当該接続部における第２反射面３２の接線と光軸Ｊ１との成す角度とは、同じであってもよく、一方の角度が他方の角度よりも大きくてもよい。リフレクタ３ｂ〜３ｄにおいても同様である。
【００８２】
リフレクタ３，３ａでは、複数のＬＥＤデバイス２および複数の第１反射面３１，３１ａは、必ずしも直線状に配列される必要はなく、線状（すなわち、非環状）に配列されていればよい。例えば、複数のＬＥＤデバイス２および複数の第１反射面３１，３１ａは、弧状に配列（すなわち、幅方向または光軸方向に屈曲する仮想的な弧状の線に沿って配列）されてもよい。リフレクタ３ｂ〜３ｄにおいても同様である。
【００８３】
上述のリフレクタ３，３ａでは、複数の第１反射面３１は１つの直線状に配列されているが、これには限定されない。例えば、図２２に示すリフレクタ３ｅでは、２つの第１反射面列３１０が幅方向に並ぶ。第１反射面列３１０は、長手方向に略平行に配列される複数の第１反射面３１（図４参照）である。２つの第１反射面列３１０は、幅方向において一対の第２反射面３２の間に配置される。リフレクタ３ｅでは、２つの第１反射面列３１０の間に、長手方向に略平行に延びる２つの第４反射面３６が設けられる。２つの第４反射面３６は、それぞれ一対の第２反射面３２と幅方向に対向する。第４反射面３６は、複数の第１反射面３１の光軸方向前側に配置され、長手方向に連続して広がる。第４反射面３６の光軸方向の高さは、第２反射面３２の光軸方向の高さよりも低い。換言すれば、第４反射面３６の光軸方向前端は、第２反射面３２の光軸方向前端よりも光軸方向において後側である。
【００８４】
また、図２３に示すリフレクタ３ｆでは、３つの第１反射面列３１０（すなわち、長手方向に配列された複数の第１反射面３１）が幅方向に並ぶ。３つの第１反射面列３１０は、幅方向において一対の第２反射面３２の間に配置される。幅方向に隣接する各２つの第１反射面列３１０の間には、図２２に示す第４反射面３６は設けられていない。図２２および図２３に示すリフレクタ３ｅ，３ｆにおいても、上述と同様に、複数のＬＥＤデバイス２による輝度ムラを抑制しつつ、照明装置による照明光の所望の照度を実現することができる。
【００８５】
図１５に示すリフレクタ３ｂでは、複数の第１反射面のうち、一部の第１反射面３１ｂの上円周３１２の中心３１４のみが、ＬＥＤ断面においてＬＥＤデバイス２の光軸Ｊ１から幅方向に離間していてもよい。リフレクタ３ｃ，３ｄにおいても同様である。
【００８６】
上記実施の形態および各変形例における構成は、相互に矛盾しない限り適宜組み合わされてよい。
【００８７】
発明を詳細に描写して説明したが、既述の説明は例示的であって限定的なものではない。したがって、本発明の範囲を逸脱しない限り、多数の変形や態様が可能であるといえる。
【符号の説明】
【００８８】
１，１ａ〜１ｄ    照明装置
２    ＬＥＤデバイス
３，３ａ〜３ｆ    リフレクタ
２０    ＬＥＤデバイス列
２１    光出射面
３１，３１ａ〜３１ｄ    第１反射面
３２，３２ｂ，３２ｄ    第２反射面
３１１，３１１ａ    （第１反射面の）上縁
３１２，３１２ａ    上円周
Ｊ１    光軸
【図１】
2020170720.tif 000003
【図２】
2020170720.tif 000004
【図３】
2020170720.tif 000005
【図４】
2020170720.tif 000006
【図５】
2020170720.tif 000007
【図６】
2020170720.tif 000008
【図７】
2020170720.tif 000009
【図８】
2020170720.tif 000010
【図９】
2020170720.tif 000011
【図１０】
2020170720.tif 000012
【図１１】
2020170720.tif 000013
【図１２】
2020170720.tif 000014
【図１３】
2020170720.tif 000015
【図１４】
2020170720.tif 000016
【図１５】
2020170720.tif 000017
【図１６】
2020170720.tif 000018
【図１７】
2020170720.tif 000019
【図１８】
2020170720.tif 000020
【図１９】
2020170720.tif 000021
【図２０】
2020170720.tif 000022
【図２１】
2020170720.tif 000023
【図２２】
2020170720.tif 000024
【図２３】
2020170720.tif 000025
【手続補正書】
【提出日】令和2年8月4日(2020.8.4)
【手続補正１】
【補正対象書類名】特許請求の範囲
【補正対象項目名】全文
【補正方法】変更
【補正の内容】
【特許請求の範囲】
【請求項１】
照明装置用のリフレクタであって、
線状に配列された複数のＬＥＤデバイスの光出射面よりも光軸方向前側にて前記複数のＬＥＤデバイスの周囲にそれぞれ配置され、それぞれが環状凹面の少なくとも一部である複数の第１反射面と、
前記複数の第１反射面の前記光軸方向前側に配置され、前記複数のＬＥＤデバイスであるＬＥＤデバイス列の長手方向および前記光軸方向に垂直な幅方向において、前記ＬＥＤデバイス列の一方側にて前記長手方向に連続して広がる第２反射面と、
を備え、
前記長手方向に垂直、かつ、各ＬＥＤデバイスの光軸を含む各ＬＥＤ断面において、前記第１反射面は、前記各ＬＥＤデバイスの前記幅方向の両側に配置され、前記各ＬＥＤデバイスから前記光軸方向前側に向かうに従って前記幅方向外方へと向かう曲線で構成され、
前記各ＬＥＤ断面において、前記第２反射面は、前記第１反射面の前記光軸方向前縁から前記光軸方向前側に向かうに従って前記幅方向外方へと向かうとともに前記第１反射面を構成する曲線よりも前記幅方向外方へと広がる曲線で構成され、
前記第２反射面の前記光軸方向の高さは、前記複数の第１反射面のそれぞれの前記光軸方向の高さよりも大きいことを特徴とする照明装置用のリフレクタ。
【請求項２】
請求項１に記載の照明装置用のリフレクタであって、
前記長手方向に垂直な断面における前記第２反射面の形状が、前記長手方向の全長に亘って一定であることを特徴とする照明装置用のリフレクタ。
【請求項３】
請求項１または２に記載の照明装置用のリフレクタであって、
各第１反射面の上縁が、円周である上円周の少なくとも一部であり、
前記長手方向にて隣接する２つのＬＥＤデバイスの前記長手方向における中心間距離が、前記２つのＬＥＤデバイスに対応する２つの第１反射面における前記上円周の前記長手方向における半径の合計以下であることを特徴とする照明装置用のリフレクタ。
【請求項４】
請求項１ないし３のいずれか１つに記載の照明装置用のリフレクタであって、
各第１反射面の上縁が、前記幅方向に長い楕円周の少なくとも一部であることを特徴とする照明装置用のリフレクタ。
【請求項５】
請求項１ないし４のいずれか１つに記載の照明装置用のリフレクタであって、
各第１反射面の上縁が、円周である上円周の少なくとも一部であり、
前記各第１反射面の前記上円周の中心は、前記各ＬＥＤデバイスの前記光軸上に位置することを特徴とする照明装置用のリフレクタ。
【請求項６】
請求項１ないし４のいずれか１つに記載の照明装置用のリフレクタであって、
各第１反射面の上縁が、円周である上円周の少なくとも一部であり、
前記各ＬＥＤデバイスの前記光軸は、前記幅方向において、前記各第１反射面の前記上円周の中心と前記第２反射面との間に位置することを特徴とする照明装置用のリフレクタ。
【請求項７】
請求項６に記載の照明装置用のリフレクタであって、
前記複数の第１反射面のうち少なくとも一部の第１反射面の上円周の中心は、ＬＥＤデバイスの光軸から前記長手方向に離間していることを特徴とする照明装置用のリフレクタ。
【請求項８】
請求項１ないし７のいずれか１つに記載の照明装置用のリフレクタであって、
前記複数の第１反射面の前記光軸方向前側に配置され、前記ＬＥＤデバイス列の前記幅方向の他方側にて前記長手方向に連続して広がる他の第２反射面をさらに備え、
前記各ＬＥＤ断面において、前記他の第２反射面が前記光軸方向前側に向かうに従って前記幅方向外方へと向かうことを特徴とする照明装置用のリフレクタ。
【請求項９】
請求項１ないし８のいずれか１つに記載の照明装置用のリフレクタであって、
前記第２反射面の前記光軸方向の高さは、前記複数の第１反射面のそれぞれの前記光軸方向の高さの２倍以上かつ５倍以下であることを特徴とする照明装置用のリフレクタ。
【請求項１０】
照明装置であって、
請求項１ないし９のいずれか１つに記載のリフレクタと、
前記複数のＬＥＤデバイスと、
を備えることを特徴とする照明装置。
【手続補正２】
【補正対象書類名】明細書
【補正対象項目名】０００５
【補正方法】変更
【補正の内容】
【０００５】
本発明に係る照明装置用のリフレクタは、線状に配列された複数のＬＥＤデバイスの光出射面よりも光軸方向前側にて前記複数のＬＥＤデバイスの周囲にそれぞれ配置され、それぞれが環状凹面の少なくとも一部である複数の第１反射面と、前記複数の第１反射面の前記光軸方向前側に配置され、前記複数のＬＥＤデバイスであるＬＥＤデバイス列の長手方向および前記光軸方向に垂直な幅方向において、前記ＬＥＤデバイス列の一方側にて前記長手方向に連続して広がる第２反射面と、を備え、前記長手方向に垂直、かつ、各ＬＥＤデバイスの光軸を含む各ＬＥＤ断面において、前記第１反射面は、前記各ＬＥＤデバイスの前記幅方向の両側に配置され、前記各ＬＥＤデバイスから前記光軸方向前側に向かうに従って前記幅方向外方へと向かう曲線で構成され、前記各ＬＥＤ断面において、前記第２反射面は、前記第１反射面の前記光軸方向前縁から前記光軸方向前側に向かうに従って前記幅方向外方へと向かうとともに前記第１反射面を構成する曲線よりも前記幅方向外方へと広がる曲線で構成され、前記第２反射面の前記光軸方向の高さは、前記複数の第１反射面のそれぞれの前記光軸方向の高さよりも大きい。当該リフレクタによれば、複数のＬＥＤデバイスによる輝度ムラを抑制しつつ照明光の所望の照度を実現することができる。
【手続補正３】
【補正対象書類名】明細書
【補正対象項目名】００８０
【補正方法】変更
【補正の内容】
【００８０】
本発明に関連する技術では、リフレクタ３，３ａでは、一対の第２反射面３２の光軸方向の高さは、複数の第１反射面３１，３１ａのそれぞれの光軸方向の高さよりも小さくてもよく、当該高さと同じであってもよい。本発明では、長手方向に垂直な断面における一対の第２反射面３２の形状は、必ずしも、長手方向の全長に亘って実質的に一定である必要はなく、長手方向の位置によって変更されてもよい。各第２反射面３２上には、複数の第１反射面３１の仕切り壁３１５（図４参照）が延設されていてもよい。具体的には、仕切り壁３１５の幅方向の端部が、例えば略三角錐状のリブとして第２反射面３２に沿って上方へと延びていてもよい。この場合、当該リブの光軸方向前端は、第２反射面３２の光軸方向前縁よりも後側に位置する。さらに、第２反射面３２は、ＬＥＤデバイス列２０の幅方向の一方側のみに設けられてもよい。リフレクタ３ｂ〜３ｄにおいても同様である。